(57)【特許請求の範囲】
【請求項１】
第１の終端端末が第１の近距離通信網を介して第１の移動通信端末と接続され、前記第１の移動通信端末および第２の移動通信端末とが移動通信網を介してサービスサーバーに接続され、前記サービスサーバーと課金サーバーとが有線通信網を介して接続されるシステムによる課金方法であって、
ａ）前記第１の終端端末が第１の移動通信端末を介してサービスサーバーに接続されてコンテンツ提供を要請するステップと、
ｂ）前記第１の終端端末がサービスサーバーに課金対象情報を提供するステップと、
ｃ）前記第１の終端端末がサービスサーバーに課金対象となる第２の移動通信端末の課金認証情報を送信するステップであって、前記第２の移動通信端末の課金認証情報は、前記第２の移動通信端末から前記第１の終端端末に提供される、前記送信するステップと、
ｃ−１）前記サービスサーバーが、第１の終端端末から送信された前記第２の移動通信端末の課金認証情報と、第２の移動通信端末から受信した第２の移動通信端末の課金認証情報とを比較して第１の終端端末から送信された前記第２の移動通信端末の課金認証情報の妥当性を確認するステップと、
ｄ）前記サービスサーバーが第１の終端端末に要請されたコンテンツを提供するステップと、
ｅ）前記サービスサーバーが課金サーバーに第２の移動通信端末の課金情報を送信し、前記課金サーバーが第２の移動通信端末に対して課金を行うステップと、
を含む、他の移動通信端末の課金認証情報を利用する終端端末への課金方法。
【請求項２】
ａ）第２の移動通信端末の課金認証情報を有する第１の終端端末の接続要請およびコンテンツ提供要請を受けるステップと、
ａ−１）前記第１の終端端末から受信した前記第２の移動通信端末の課金認証情報と、第２の移動通信端末から受信した第２の移動通信端末の課金認証情報とを比較して課金認証情報の妥当性を確認するステップであって、前記第１の終端端末から受信した第２の移動通信端末の課金認証情報は、前記第２の移動通信端末から前記第１の終端端末に提供される、前記確認するステップと、
ｂ）前記第１の終端端末から要請されたコンテンツを提供するステップと、
ｃ）前記第２の移動通信端末の課金認証情報を課金サーバーに提供するステップと、
を含む、サービスサーバーによる他の移動通信端末の課金認証情報を利用する終端端末へのサービス提供方法。
【請求項３】
請求項２に記載のサービスサーバーによる他の移動通信端末の課金認証情報を利用する終端端末へのサービス提供方法をプログラムとして記憶した記憶媒体。
【請求項４】
サービスサーバーにコンテンツを提供するよう要請し、
前記サービスサーバーに移動通信端末についての情報を提供し、
課金対象である前記移動通信端末の課金認証情報を前記サービスサーバーに送信し、
前記移動通信端末から終端端末に提供され、終端端末から前記サービスサーバーに送信された前記移動通信端末の前記課金認証情報が、前記移動通信端末により送信された前記移動通信端末の課金認証情報と一致する場合に、前記サービスサーバーから送信される、要請されたコンテンツを受信する、課金処理を行うために他の移動通信端末の課金認証情報を利用する終端端末。
【請求項５】
サービスサーバーにコンテンツを提供するよう要請するステップと、
前記サービスサーバーに移動通信端末についての情報を提供するステップと、
課金対象である前記移動通信端末の課金認証情報を前記サービスサーバーに送信するステップと、
前記移動通信端末から終端端末に提供され、前記終端端末から前記サービスサーバーに送信された前記移動通信端末の前記課金認証情報が、前記移動通信端末により送信された前記移動通信端末の課金認証情報と一致する場合に、前記サービスサーバーから送信される、要請されたコンテンツを受信するステップと、
を含む、他の移動通信端末の課金認証情報を利用する終端端末への課金処理を行う課金方法。
【発明の詳細な説明】
【技術分野】
【０００１】
本発明は他の移動通信端末の認証情報を利用する終端端末への課金システム、課金方法、サービスサーバー、サービス提供方法および記憶媒体に係り、さらに詳しくは、終端端末がサービスサーバーに提供する課金認証情報が現在接続中の第１の移動通信端末の課金認証情報ではなく、他の第２の移動通信端末の認証情報である場合にも終端端末がサービスを利用することができ、そのサービスの利用に伴う課金は、第１の移動通信端末ではなく、認証情報を提供した第２の移動通信端末に対して行う技術に関する。
【背景技術】
【０００２】
最近の情報通信技術の発展には目を見張るものがあり、これに伴い、文書、イメージおよび動画など（以下、説明の便宜のために、特に言及のない限り、「文書、イメージおよび動画など」は、「コンテンツ」と略称する。）を再生可能なＭＰ３（ＭＰＥＧオーディオレイヤー３）プレーヤー、パーソナルマルチメディアプレーヤー（ＰＭＰ：Ｐｅｒｓｏｎａｌ  Ｍｕｌｔｉｍｅｄｉａ  Ｐｌａｙｅｒ）、ウルトラモバイルパソコン（ＵＭＰＣ：Ｕｌｔｒａ  Ｍｏｂｉｌｅ  Ｐｅｒｓｏｎａｌ  Ｃｏｍｐｕｔｅｒ）などの様々な終端端末が用いられている。この種の終端端末は、ユーザーが所望するコンテンツをパソコン（ＰＣ）からダウンロードして再生するが、ユーザーが移動中であるか、あるいは、ＰＣと接続不能な状況では所望のコンテンツをダウンロードすることができないという不都合がある。
【０００３】
上述した不都合を解消するために、コンテンツ再生装置にブルートゥース、ウルトラワイドバンド（ＵＷＢ：Ｕｌｔｒａ  Ｗｉｄｅ  Ｂａｎｄ）などの近距離無線通信網に接続可能な通信手段を付加し、終端端末と移動通信端末との間を近距離通信網を介して接続する技術が提案されている。これにより、ユーザーは、本人所有の終端端末および移動通信端末を介して所望のサービスの提供を受けることができる。すなわち、ユーザーは、自分の終端端末および自分の移動通信端末を近距離通信網を介して近距離無線通信方式により通信させて所要データを互いに送受できるようにし、移動通信端末はさらに移動通信網（または、移動通信網を介してインターネットなどの有線通信網）を介して各種のサーバーに接続されて終端端末とサーバーとの間のデータの受け渡しなどの中継を行うことにより、結果的に、終端端末が移動通信端末の中継によって近距離無線通信網と移動通信網を介して必要なデータサービスを利用することが可能となる。
【０００４】
一方、ユーザーの使用する終端端末が第１の移動通信端末を介してサービスサーバーからコンテンツを受け取る場合であっても、必要に応じて、終端端末のサービス利用料金を第２の移動通信端末に課金する場合がある。例えば、ユーザーは第１の移動通信端末を所有している未成年者であり、ユーザーの両親が第２の移動通信端末を所有している場合に、両親は、未成年者のユーザーのコンテンツ利用料金を、自分の子供が使用する第１の移動通信端末ではなく、自分所有の第２の移動通信端末に課金することを希望する場合がある。
【０００５】
従来より、移動通信端末が終端端末のコンテンツ利用に伴う課金情報を寄せ集めて課金サーバーに送信する技術が提案されているが、同技術も上述したニーズに応えることができず、むしろ、課金情報を寄せ集めてサーバーに送信しなければならない移動通信端末の負荷を高めてしまうという問題が新たに発生していた。
【発明の概要】
【発明が解決しようとする課題】
【０００６】
本発明は上述した従来の技術による問題点を解消するためになされたものであり、その目的は、終端端末を使用するユーザーが第１の移動通信端末を介してコンテンツを受け取る場合にも、そのコンテンツ提供サービスの利用に伴う課金は第２の移動通信端末に対して行う技術を提供するところにある。
【課題を解決するための手段】
【０００７】
上述した目的を達成するために、本発明の実施形態に係る他の移動通信端末の課金認証情報を利用する終端端末への課金システムは、第１の近距離通信網を介して接続された第１の移動通信端末を介してサービスサーバーに接続され、第２の移動通信端末の課金認証情報を用いてコンテンツを利用する第１の終端端末と、第１の近距離通信網を介して前記第１の終端端末に接続され、移動通信網を介してサービスサーバーと接続され、第２の移動通信端末の課金認証情報を利用する第１の終端端末を前記サービスサーバーに接続させる第１の移動通信端末と、移動通信網を介してサービスサーバーと接続され、第１の終端端末に自分の課金認証情報を提供する第２の移動通信端末と、移動通信網を介して前記第１の移動通信端末および第２の移動通信端末に接続され、前記第２の移動通信端末の課金認証情報を利用する第１の終端端末にコンテンツを提供するサービスサーバーと、前記サービスサーバーが第１の終端端末にコンテンツを送信した場合に、前記第２の移動通信端末に対して課金を行う課金サーバーと、を備える。
【０００８】
前記他の移動通信端末の課金認証情報を利用する終端端末への課金システムにおいて、前記サービスサーバーは、前記第１の終端端末が提供した第２の移動通信端末の課金認証情報と、前記第２の移動通信端末から受信した課金認証情報とが一致する場合にコンテンツを提供してもよい。
【０００９】
上述した目的を達成するために、本発明の他の実施形態に係る他の移動通信端末の課金認証情報を利用する終端端末への課金方法は、第１の終端端末が第１の近距離通信網を介して第１の移動通信端末と接続され、前記第１の移動通信端末および第２の移動通信端末とが移動通信網を介してサービスサーバーに接続され、前記サービスサーバーと課金サーバーとが有線通信網を介して接続されるシステムにおいて、ａ）前記第１の終端端末が第１の移動通信端末を介してサービスサーバーに接続されてコンテンツ提供を要請するステップと、ｂ）前記第１の終端端末がサービスサーバーに課金対象情報を提供するステップと、ｃ）前記第１の終端端末がサービスサーバーに課金対象となる第２の移動通信端末の課金認証情報を送信するステップと、ｄ）前記サービスサーバーが第１の終端端末に要請されたコンテンツを提供するステップと、ｅ）前記サービスサーバーが課金サーバーに第２の移動通信端末の課金情報を送信し、前記課金サーバーが第２の移動通信端末に対して課金を行うステップと、を含む。
【００１０】
前記他の移動通信端末の課金認証情報を利用する終端端末への課金方法は、ｃ−１）前記ステップｃ）後に、前記サービスサーバーが、第１の終端端末から送信された課金認証情報と、第２の移動通信端末から受信した課金認証情報とを比較して第１の終端端末から送信された課金認証情報の妥当性を確認するステップをさらに含んでいてもよい。
【００１１】
上述した目的を達成するために、本発明のさらに他の実施形態に係る他の移動通信端末の課金認証情報を利用する終端端末へのサービス提供のためのサービスサーバーは、移動通信網を介してデータを送受信する通信部と、前記通信部を介して受信された第１の移動通信端末および第２の移動通信端末の情報を管理する移動通信端末管理部と、前記通信部を介して受信された第１の終端端末および第２の終端端末の情報を管理する終端端末管理部と、前記第１の移動通信端末と第１の終端端末との間の通信を中継する第１の近距離通信網の情報、および第２の移動通信端末と第２の終端端末との間の通信を中継する第２の近距離通信網の情報を管理する近距離通信網管理部と、前記第１の移動通信端末および第２の移動通信端末の情報、第１の終端端末の情報、第２の終端端末の情報、第１の近距離通信網の情報、第２の近距離通信網の情報および課金履歴を記憶する記憶部と、各構成要素の動作を制御するが、前記第２の移動通信端末の課金認証情報を利用する第１の終端端末の要請に応じてコンテンツを提供し、課金サーバーに第２の移動通信端末の課金認証情報を提供するように前記通信部を制御する制御部と、を備える。
【００１２】
前記他の移動通信端末の課金認証情報を利用する終端端末へのサービス提供のためのサービスサーバーにおいて、前記制御部は、前記記憶部に記憶された第２の移動通信端末の情報に含まれている課金認証情報と、前記通信部を介して受信された第１の終端端末から送信された課金認証情報とが一致するか否かを確認して、両課金認証情報が一致する場合にコンテンツを提供するように判断してもよい。
【００１３】
上述した目的を達成するために、本発明のさらに他の実施形態に係るサービスサーバーによる他の移動通信端末の課金認証情報を利用する終端端末へのサービス提供方法は、ａ）第２の移動通信端末の課金認証情報を有する第１の終端端末の接続要請およびコンテンツ提供要請を受けるステップと、ｂ）前記第１の終端端末から要請されたコンテンツを提供するステップと、ｃ）前記第２の移動通信端末の課金認証情報を課金サーバーに提供するステップと、を含む。
【００１４】
前記サービスサーバーによる他の移動通信端末の課金認証情報を利用する終端端末へのサービス提供方法は、ａ−１）前記第１の終端端末から受信した課金認証情報と、第２の移動通信端末から受信した課金認証情報とを比較して課金認証情報の妥当性を確認するステップをさらに含んでいてもよい。
【００１５】
上述した目的を達成するために、本発明のさらに他の実施形態に係る記憶媒体は、上述したサービスサーバーによる他の移動通信端末の課金認証情報を利用する終端端末へのサービス提供方法をプログラムとして記憶する。
【発明の効果】
【００１６】
本発明は、サービスサーバーが第２の移動通信端末の課金認証情報を有している第１の終端端末に対して第１の移動通信端末を介してコンテンツを提供するが、そのサービス利用に伴う課金は、第１の移動通信端末ではなく、第２の移動通信端末に対して行われるという点で効果的である。
【図面の簡単な説明】
【００１７】
【図１】図１は、本発明の実施形態に係る課金システムのブロック図である。
【図２】図２は、本発明の実施形態に係る課金方法のフローチャートである。
【図３】図３は、本発明の実施形態に係るサービスサーバーの詳細ブロック図である。
【図４】図４は、本発明の実施形態に係るサービス提供方法のフローチャートである。
【発明を実施するための形態】
【００１８】
以下、添付図面に基づき、本発明の実施形態を説明する。
以下、本発明を説明するに当たって、関連された公知機能または構成に関する具体的な説明が本発明の要旨を余計に曖昧にする虞があると認められる場合にはその詳細な説明は省略する。なお、後述する用語は本発明における機能を考慮して設定された用語であり、これらの用語は製品を生産する生産者の意図または慣例によって異なり、用語の定義は本明細書全般に亘っての内容に基づいて下されるべきである。
【００１９】
まず、図１に基づき、本発明の実施形態に係る他の移動通信端末の課金認証情報を利用する終端端末への課金システムを説明する。
図１は、本発明の実施形態に係る課金システムのブロック図である。
図１に示すように、本実施形態に係る他の移動通信端末の課金認証情報を利用する終端端末への課金システム１００（以下、説明の便宜のために、特に言及のない限り、「他の移動通信端末の課金認証情報を利用する終端端末への課金システム」は、「課金システム」と略称する。）は、有線通信網１０１および／または移動通信網１０２を介してサービスサーバー１１０、アプリケーションサーバー１２０および課金サーバー１３０が接続され、移動通信網１０２を介してサービスサーバー１１０と第１の移動通信端末１４０および第２の移動通信端末１４２が接続され、第１の近距離通信網１０３を介して第１の移動通信端末１４０と第１の終端端末１５０とが接続され、第２の近距離通信網１０９を介して第２の移動通信端末１４９と第２の終端端末１５９とが接続された構成を有する。このとき、近距離通信網としては、無線ＬＡＮ、ブルートゥース、ＵＷＢなどが使用可能である。また、アプリケーションサーバー１２０および／または課金サーバー１３０は、本実施形態のように独立したサーバーとして構成してもよく、サービスサーバー１１０の構成要素として含まれていてもよい。
第１の終端端末１５０は、第１の近距離通信網および第１の移動通信端末１４０を介してサービスサーバー１１０に接続される。第１の終端端末１５０は、第２の移動通信端末１４９の課金認証情報を用いて、サービスサーバー１１０からのコンテンツを利用することとなる。第１の終端端末１５０は、第２の移動通信端末１４９との通信を通じて課金認証情報をダウンロードしてもよく、外付けメモリなどを用いてコピーしてもよい。第１の終端端末１５０は、第１の近距離通信網を介してデータを送受信する通信部と、ユーザーの指令が入力される入力部と、コンテンツを実行する再生部と、コンテンツおよび第２の移動通信端末の課金認証情報などを記憶する記憶部および各構成要素の動作を制御する制御部を備えていてもよい。
第１の移動通信端末１４０は、第２の移動通信端末１４９の課金認証情報を利用する第１の終端端末１５０をサービスサーバー１１０に接続させる。第１の移動通信端末１４０は、移動通信網１０２を介してデータを送受信する第１の通信部と、近距離通信網１０３を介してデータを送受信する第２の通信部と、終端端末の情報を管理する終端端末管理部および各構成要素の動作を制御する制御部を備えていてもよい。
第２の移動通信端末１４９は、第１の終端端末１５０に自分の課金認証情報を提供する。
サービスサーバー１１０は、第２の移動通信端末の課金認証情報を利用する第１の終端端末１５０にコンテンツを提供する。サービスサーバー１１０は、第１の終端端末１５０が提供した第２の移動通信端末の課金認証情報と、第２の移動通信端末１４９から受信した課金認証情報とが一致する場合にコンテンツを提供することが好ましい。
課金サーバー１３０は、サービスサーバー１１０が第１の終端端末１５０にコンテンツを送信した場合に、第２の移動通信端末１４９に対して課金を行う。
アプリケーションサーバー１２０は、コンテンツを記憶して外部に供給する。
【００２０】
以下、図２に基づき、本発明の実施形態に係る他の移動通信端末の課金認証情報を利用する終端端末への課金方法を説明する。
図２は、本発明の実施形態に係る課金方法のフローチャートである。
図２に示すように、本実施形態に係る他の移動通信端末の課金認証情報を利用する終端端末への課金方法（以下、説明の便宜のために、特に言及のない限り、「他の移動通信端末の課金認証情報を利用する終端端末への課金方法」は、「課金方法」と略称する。）は、第１の終端端末が第１の近距離通信網を介して第１の移動通信端末と近距離無線通信方式により接続され、第１の移動通信端末と第２の移動通信端末とが移動通信網を介してサービスサーバーに接続され、サービスサーバーと課金サーバーとが有線通信網を介して接続されるシステムに適用可能である。
ステップ１において、第１の終端端末が第１の移動通信端末を介してサービスサーバーに接続されてコンテンツ提供を要請する（Ｓ１００）。このとき、サービスサーバーは、第１の終端端末の情報、第１の移動通信端末の情報および第１の近距離通信網の情報を一緒に受信し、所定の接続認証を行うこととなる。
ステップ２において、第１の終端端末がサービスサーバーに課金対象情報を提供する（Ｓ１１０）。課金対象は、第１の終端端末が課金認証情報を有している第２の移動通信端末となる。一方、第１の終端端末が複数の課金認証情報を有する場合に、第１の終端端末はある課金認証情報に関する情報を提供する。このとき、課金認証情報は、移動通信端末の固有識別番号であってもよく、ＵＳＩＭ情報であってもよい。
ステップ３において、第１の終端端末がサービスサーバーに課金対象となる第２の移動通信端末の課金認証情報を送信する（Ｓ１２０）。ここで、第１の終端端末が第２の移動通信端末の課金認証情報を送信する方法としては、第１の終端端末が第２の近距離通信網を介して第２の移動通信端末に接続された後、第２の移動通信端末から課金認証情報を自ら受信して保有しているものを送信する方法がある。これは、第２の移動通信端末が自分の課金認証情報を未暗号化の状態で記憶している場合に利用可能である。
他の方法は、第２の移動通信端末の課金認証情報が暗号化されている場合に利用する方法であって、第２の移動通信端末がサービスサーバーから第２の移動通信端末の未暗号化の課金認証情報を受信して第１の終端端末に提供し、これを第１の終端端末が受信して送信することである。
さらに他の方法は、セキュリティなどの問題により第２の移動通信端末の課金認証情報を送信することができない場合に利用する方法であって、第２の移動通信端末の課金認証情報はサービスサーバーに記憶され、第２の移動通信端末は課金認証情報を利用できる許可コードを第１の終端端末に送信し、第１の終端端末はサービスサーバーに許可コードを送信してサービスサーバーが課金を認証することである。
ステップ４において、サービスサーバーが、第１の終端端末から送信された課金認証情報と、第２の移動通信端末から受信した課金認証情報とを比較して、第１の終端端から送信した課金認証情報の妥当性を確認する（Ｓ１３０）。
ステップ５において、サービスサーバーが第１の終端端末に要請されたコンテンツを提供する（Ｓ１４０）。このときに提供されるコンテンツは、サービスサーバーが保有しているコンテンツであってもよく、アプリケーションサーバーに記憶されたコンテンツであってもよい。
ステップ６において、サービスサーバーが課金サーバーに第２の移動通信端末の課金情報を送信し、課金サーバーが第２の移動通信端末に対して課金を行う（Ｓ１５０）。
【００２１】
以下、図３に基づき、本発明の実施形態に係る他の移動通信端末の課金認証情報を利用する終端端末へのサービス提供のためのサービスサーバーを説明する。
図３は、本発明の実施形態に係るサービスサーバー１１０（以下、説明の便宜のために、特に言及のない限り、「他の移動通信端末の課金認証情報を利用する終端端末へのサービス提供のためのサービスサーバー」は、「サービスサーバー」と略称する。）の詳細ブロック図である。
以下、本実施形態に係る他の移動通信端末の課金認証情報を利用する終端端末へのサービス提供のためのサービスサーバーにおける各構成要素の機能を説明する。
通信部１１１は、移動通信網を介してデータを送受信する。
移動通信端末管理部１１２は、通信部１１１を介して受信された第１の移動通信端末および第２の移動通信端末の情報を管理する。このとき、移動通信端末の情報には課金認証情報が含まれることに留意されたい。
終端端末管理部１１３は、通信部１１１を介して受信された第１の終端端末および第２の終端端末の情報を管理する。
近距離通信網管理部１１４は、第１の移動通信端末と第１の終端端末との間の通信を中継する第１の近距離通信網の情報、および第２の移動通信端末と第２の終端端末との間の通信を中継する第２の近距離通信網の情報を管理する。
記憶部１１６は、第１の移動通信端末および第２の移動通信端末の情報、第１の終端端末の情報、第２の終端端末の情報、第１の近距離通信網の情報、第２の近距離通信網の情報および課金履歴を記憶する。
制御部１１５は、各構成要素の動作を制御するが、第２の移動通信端末の課金認証情報を利用する第１の終端端末の要請に応じてコンテンツを提供し、課金サーバーに第２の移動通信端末の課金認証情報を提供するように通信部１１１を制御する。また、制御部１１５は、記憶部１１６に記憶された第２の移動通信端末の情報に含まれている課金認証情報と、通信部１１１を介して受信された第１の終端端末から送信された課金認証情報とが一致するか否かを比較して、両課金認証情報が一致する場合にコンテンツを提供するように判断することが好ましい。
【００２２】
以下、図４に基づき、本発明の実施形態に係るサービスサーバーによる他の移動通信端末の課金認証情報を利用する終端端末へのサービス提供方法を説明する。
図４は、本発明の実施形態に係るサービス提供方法のフローチャートである。
図４に示すように、本実施形態に係るサービスサーバーによる他の移動通信端末の課金認証情報を利用する終端端末へのサービス提供方法（以下、説明の便宜のために、特に言及のない限り、「サービスサーバーによる他の移動通信端末の課金認証情報を利用する終端端末へのサービス提供方法」は、「サービス提供方法」と略称する。）は、ステップ１において、第２の移動通信端末の課金認証情報を有する第１の終端端末の接続要請およびコンテンツ提供要請を受ける（Ｓ２００）。
ステップ２において、第１の終端端末から受信した課金認証情報と、第２の移動通信端末から受信した課金認証情報とを比較して課金認証情報の妥当性を確認する（Ｓ２１０）。
ステップ３において、第１の終端端末から要請されたコンテンツを提供する（Ｓ２２０）。
ステップ４において、第２の移動通信端末の課金認証情報を課金サーバーに提供する（Ｓ２３０）。これにより、課金サーバーは課金対象を確認することができる。
一方、上述したサービスサーバーによる他の移動通信端末の課金認証情報を利用する終端端末へのサービス提供方法は、記憶媒体にプログラムとして記憶される。
以上、本発明の実施形態を添付図面に基づいて説明した。
しかしながら、本発明は、上述した実施形態に限定されるものではなく、必要に応じて、当業者にとって特許請求の範囲の精神及び思想内において様々な修正および変更が可能であることに留意されたい。
【産業上の利用可能性】
【００２３】
本発明によれば、サービスサーバーが第２の移動通信端末の課金認証情報を有している第１の終端端末に対して第１の移動通信端末を介してコンテンツを提供するが、そのサービス利用に伴う課金は、第１の移動通信端末ではなく、第２の移動通信端末に対して行われる。上述した本発明は、子供の第１の移動通信端末を介して所要のコンテンツのダウンロードが行われるものの、そのコンテンツのダウンロード費用は両親の第２の移動通信端末に対して課金したい場合などに用いて好適である。
【符号の説明】
【００２４】
１００  提供システム
１０１  有線通信網
１０２  移動通信網
１０３  第１の近距離通信網
１０９  第２の近距離通信網
１１０  サービスサーバー
１２０  アプリケーションサーバー
１３０  課金サーバー
１４０  第１の移動通信端末
１４９  第２の移動通信端末
１５０  第１の終端端末
１５９  第２の終端端末
【図１】
0005417451.tif 000002
【図２】
0005417451.tif 000003
【図３】
0005417451.tif 000004
【図４】
0005417451.tif 000005